(57)【要約】【課題】管ライニング工事をより簡単に短時間で行なえ、工事費を低減できるとともに、管ライニングの仕上がりを向上させる。【解決手段】管ライニング材１は、液状硬化性樹脂を含浸した管状樹脂吸収材１０１と該管状樹脂吸収材を被覆し管状樹脂吸収材から取り除くことが可能なチューブ１０２とからなる。管ライニング材を既設管１０の内周面に押圧した状態で管状樹脂吸収材に含浸された硬化性樹脂を硬化させ、管状樹脂吸収材に含浸された硬化性樹脂が硬化した後、管ライニング材の管状樹脂吸収材を被覆するチューブを該管状樹脂吸収材から取り除き、硬化した樹脂を含む管状樹脂吸収材１０１の面を更生された既設管の内周面とする。既設管の内周面は、硬化した堅固な樹脂面となっているので、内周面が粗くなることを防止でき、更生された既設管の内周面の粗度係数を小さくすることができる。【選択図】図３
2010149285.tif 000002
【特許請求の範囲】
【請求項１】
既設管内に挿入されて既設管の内周面を更生するための管ライニング材であって、
液状硬化性樹脂を含浸した管状樹脂吸収材と、該管状樹脂吸収材の外周面あるいは内周面を被覆し管状樹脂吸収材から取り除くことが可能なチューブとからなり、
管状樹脂吸収材が外側、チューブが内側にくるように既設管内に挿入されて、既設管の内周面に押圧された状態で管状樹脂吸収材に含浸された硬化性樹脂が硬化された後、前記チューブが管状樹脂吸収材から取り除かれ、硬化した樹脂を含む管状樹脂吸収材の面が更生された既設管の内周面となることを特徴とする管ライニング材。
【請求項２】
管ライニング材のチューブは、管状樹脂吸収材と固定されることなく管状樹脂吸収材を被覆することを特徴とする請求項１に記載の管ライニング材。
【請求項３】
管ライニング材のチューブは、管状樹脂吸収材と部分的に剥離可能に溶着ないし接着されて管状樹脂吸収材を被覆することを特徴とする請求項１に記載の管ライニング材。
【請求項４】
管ライニング材が反転により、あるいは引き込みにより既設管内に挿入されることを特徴とする請求項１から３のいずれか１項に記載の管ライニング材。
【請求項５】
管ライニング材が本管あるいは本管から分岐する枝管を更生するための管ライニング材であることを特徴とする請求項１から４のいずれか１項に記載の管ライニング材。
【請求項６】
前記液状硬化性樹脂が、加熱あるいは光照射により硬化する樹脂又は常温で硬化する樹脂であることを特徴とする請求項１から５のいずれか１項に記載の管ライニング材。
【請求項７】
管ライニング材を用いて既設管の内周面を更生する管ライニング工法であって、
液状硬化性樹脂を含浸した管状樹脂吸収材と該管状樹脂吸収材の外周面あるいは内周面を被覆し管状樹脂吸収材から取り除くことが可能なチューブとからなる管ライニング材を、管状樹脂吸収材が外側、チューブが内側にくるように既設管内に挿入し、
管ライニング材を既設管の内周面に押圧した状態で管状樹脂吸収材に含浸された硬化性樹脂を硬化させ、
管状樹脂吸収材に含浸された硬化性樹脂が硬化した後、管状樹脂吸収材を被覆するチューブを該管状樹脂吸収材から取り除き、硬化した樹脂を含む管状樹脂吸収材の面を更生された既設管の内周面とすることを特徴とする管ライニング工法。
【請求項８】
管ライニング材のチューブは、管状樹脂吸収材と固定されることなく管状樹脂吸収材を被覆することを特徴とする請求項７に記載の管ライニング工法。
【請求項９】
管ライニング材のチューブは、管状樹脂吸収材と部分的に剥離可能に溶着ないし接着されて管状樹脂吸収材を被覆することを特徴とする請求項７に記載の管ライニング工法。
【請求項１０】
前記管ライニング材のチューブは、管状樹脂吸収材に含浸された硬化性樹脂を硬化するための熱媒を供給するホースに結合されており、ホースが既設管内に挿入されて該ホースから供給される熱媒により硬化性樹脂が硬化された後、該ホースを既設管から取り除くのに連動して管ライニング材のチューブが管状樹脂吸収材から取り除かれることを特徴とする請求項７から９のいずれか１項に記載の管ライニング工法。
【請求項１１】
管ライニング材が反転により、あるいは引き込みにより既設管内に挿入されることを特徴とする請求項７から１０のいずれか１項に記載の管ライニング材。
【請求項１２】
管ライニング材が本管あるいは本管から分岐する枝管を更生するための管ライニング材であることを特徴とする請求項７から１１のいずれか１項に記載の管ライニング工法。
【請求項１３】
前記液状硬化性樹脂が、加熱あるいは光照射により硬化する樹脂又は常温で硬化する樹脂であることを特徴とする請求項７から１２のいずれか１項に記載の管ライニング材。
【発明の詳細な説明】
【技術分野】
【０００１】
本発明は、老朽化した上水道、下水管、農業用水管などの既設管を更生するための管ライニング材及びこの管ライニング材を用いた管ライニング工法に関するものである。
【背景技術】
【０００２】
従来より、地中に埋設された既設管が老朽化した場合に、既設管を掘り出すことなく更生するために、既設管を管ライニング材でライニングする管ライニング工法が知られている（例えば特許文献１）。管ライニング材は、既設管の形状に対応した管状の柔軟な不織布からなる管状樹脂吸収材に未硬化の液状硬化性樹脂（例えば熱硬化性樹脂）を含浸させたものである。管状樹脂吸収材の外周面には、これを被覆する気密性の高いポリエチレンなどからなるプラスチックフィルムがコーティングされている。これは管ライニング材の防水と、液状硬化性樹脂の染み出し防止のためである。ライニング工事では、管ライニング材を流体圧により既設管内に表裏（内外周）を反転させて挿入し、既設管の内周面に押圧した状態で、管ライニング材に含浸された液状硬化性樹脂を加熱などの方法で硬化させることにより、ライニングを行っている。
【０００３】
また、上記工法は、既設管として本管を想定しているが、本管から分岐する枝管のような既設管に対しても適用することができ、たとえば、その工法が特許文献２に記載されている。この枝管ライニング工法では、圧力バッグに内装された枝管ライニング材の一端に形成されたつばが本管内に導入された作業用ロボットのセットノズル上にセットされ、圧縮エアーが圧力バッグ内に供給される。枝管ライニング材は圧縮エアーの圧力を受けて反転しながら枝管内を本管から地上に向かって順次挿入される。枝管ライニング材を枝管の内周面に押圧したまま、加温してこれに含浸された熱硬化性樹脂を硬化させることにより、枝管の内周面がライニングされる。この枝管用の管ライニング材も、本管用の管ライニング材と同様に、管状の柔軟な不織布からなる管状樹脂吸収材に未硬化の液状硬化性樹脂（例えば熱硬化性樹脂）を含浸させたものであり、管状樹脂吸収材の外周面には、これを被覆する気密性の高いポリエチレンなどからなるプラスチックフィルムがコーティングされている。
【特許文献１】特開平６−１１４９３９号公報
【特許文献２】特開平４−３５５１１５号公報
【発明の開示】
【発明が解決しようとする課題】
【０００４】
従来の管ライニング材は、本管用のものであれ、枝管用のものであれ、管状樹脂吸収材にコーティングされるポリエチレンなどのプラスチックフィルムの耐久性（耐磨耗性、耐酸性など）が管状樹脂吸収材に含浸された硬化性樹脂（不飽和ポリエステル、ビニルエステルなど）より劣る。このため、管ライニング材の硬化性樹脂の硬化後に、管ライニング材の管状樹脂吸収材の内周面に貼り付けられているプラスチックフィルムをそのままにしてライニング工事を終了し、既設管の使用を再開すると、時間が経過するにつれてプラスチックフィルムが剥がれ、管路内の下水などの流れを妨げてしまう。
【０００５】
このため、ライニング工事では、管ライニング材の硬化性樹脂の硬化後に、管ライニング材の管状樹脂吸収材の内周面に貼り付けられているプラスチックフィルムを引き剥がす作業を行っており、その手間がかかり施工時間が延びて費用がかかってしまうという問題があった。
【０００６】
また、プラスチックフィルムの全体をきれいに剥がすことができず、管ライニング材の内周面を損傷してしまう場合がある。この場合、美観が悪くなると共に、管ライニング材内周面の粗度係数が大きくなり、既設管内の流量が減少してしまう。さらに、引き剥がしたプラスチックフィルムを処分するために費用がかかってしまうという問題があった。
【０００７】
本発明の課題は、以上のような問題点を解決するためになされたもので、管ライニング工事をより簡単に短時間で行なえ、工事費を低減できるとともに、管ライニングの仕上がりを良くすることができる管ライニング材及びこの管ライニング材を用いた管ライニング工法を提供することを課題とする。
【課題を解決するための手段】
【０００８】
上記の課題を解決するための本発明は、
既設管内に挿入されて既設管の内周面を更生するための管ライニング材であって、
液状硬化性樹脂を含浸した管状樹脂吸収材と、該管状樹脂吸収材の外周面あるいは内周面を被覆し管状樹脂吸収材から取り除くことが可能なチューブとからなり、
管状樹脂吸収材が外側、チューブが内側にくるように既設管内に挿入されて、既設管の内周面に押圧された状態で管状樹脂吸収材に含浸された硬化性樹脂が硬化された後、前記チューブが管状樹脂吸収材から取り除かれ、硬化した樹脂を含む管状樹脂吸収材の面が更生された既設管の内周面となることを特徴とする。
【０００９】
また、本発明は、
管ライニング材を用いて既設管の内周面を更生する管ライニング工法であって、
液状硬化性樹脂を含浸した管状樹脂吸収材と該管状樹脂吸収材の外周面あるいは内周面を被覆し管状樹脂吸収材から取り除くことが可能なチューブとからなる管ライニング材を、管状樹脂吸収材が外側、チューブが内側にくるように既設管内に挿入し、
管ライニング材を既設管の内周面に押圧した状態で管状樹脂吸収材に含浸された硬化性樹脂を硬化させ、
管状樹脂吸収材に含浸された硬化性樹脂が硬化した後、管状樹脂吸収材を被覆するチューブを該管状樹脂吸収材から取り除き、硬化した樹脂を含む管状樹脂吸収材の面を更生された既設管の内周面とすることを特徴とする。
【発明の効果】
【００１０】
本発明によれば、管ライニング材が既設管内に挿入されて既設管の内周面が硬化した管状樹脂吸収材によりライニングされたあと、管状樹脂吸収材の外周面あるいは内周面を被覆していたチューブが取り除かれるので、ライニング後の更生された既設管の内周面は、管状樹脂吸収材の硬化した堅固な樹脂面となっている。従って、この樹脂面を被覆するコーティング層はないので、更生された既設管の内周面からコーティング層が徐々に剥がれて落ちてしまい、その内周面が粗くなることを防止でき、更生された既設管の内周面の粗度係数を小さくして既設管に流れる水量を大きくすることができる。
【発明を実施するための最良の形態】
【００１１】
以下、添付した図を参照して本発明の実施の形態を説明する。ここでは、既設管として上水道あるいは下水道の本管並びにこの本管と分岐する枝管のライニングを説明する。しかしながら、本発明は、これらの上水道や下水道だけでなく、農業用水管などの既設管をライニングする場合にも適用できるものである。
【実施例１】
【００１２】
図１は、既設管として下水道の本管の内周面をライニングするための本管用の管ライニング材（以下本管ライニング材という）１を示す。
【００１３】
本管ライニング材１は、可撓性の管状樹脂吸収材１０１の外周面（反転後は内周面となる）をポリエチレン、ポリプロピレン、ナイロン、又は塩化ビニール等の気密性の高いプラスチックフィルムからなる柔軟なチューブ１０２で被覆した可撓性の管状ライニング材である。管状樹脂吸収材１０１は、ポリアミド、ポリエステル、ポリプロピレンなどのプラスチック繊維を用いた不織布、織布、あるいはマット；あるいはガラス繊維を用いた織布、あるいはマット；あるいは上記プラスチック繊維とガラス繊維を組み合わせた不織布、織布、あるいはマットからなり、管状樹脂吸収材１０１には、不飽和ポリエステル樹脂、ビニルエステル樹脂、又はエポキシ樹脂などの液状の未硬化の熱硬化性樹脂が含浸される。
【００１４】
チューブ１０２は、本管ライニング材１の防水と、管状樹脂吸収材１０１に含浸された液状硬化性樹脂の染み出し防止のために管状樹脂吸収材１０２の外周面を剥離可能に被覆する。従来は、チューブ１０２は管状樹脂吸収材１０１の外周面全体に熱溶着されて剥離できないようになっているが、本発明では、ライニング工事終了後は、チューブ１０２を引き剥がして容易に取り除くことができるようにするために、チューブ１０２は、管状樹脂吸収材１０１に熱溶着されることなく、つまり管状樹脂吸収材１０１に固定されることなく管状樹脂吸収材１０１の外周面との間にわずかの隙間Ｓを設けて、あるいは単に接触するだけで管状樹脂吸収材１０１全体を被覆している。
【００１５】
なお、チューブ１０２を管状樹脂吸収材１０１に全く固定しない場合には、チューブ１０２が管状樹脂吸収材１０１に対して位置ずれを起こす恐れがあるので、図１（ａ）に符号１０３で示したように、部分的にチューブ１０２と管状樹脂吸収材１０１を熱溶着してあるいは接着して仮に固定するようにしてもよい。その場合でも、後述するように、チューブ１０２を硬化した管状樹脂吸収材１０１から容易に剥離できるように、熱溶着する箇所の大きさ並びに熱溶着する箇所の数を定めるようにする。
【００１６】
本管ライニング材１の一端（右側）は、図１（ａ）に示したように、開放しており、後述するように、圧力容器の開口部に取り付けられる。一方、本管ライニング材１の他端は、図１（ｂ）に示すように、チューブ１０２が管状樹脂吸収材１０１より長くなっていて、その端部１０２ａが多重に折り畳まれている。そして、チューブ１０２の折り畳まれた端部１０２ａは、プラスチックでできた固定板３７を介してボルト３８などの固定具により金属あるいはプラスチック製の連結具３６に固定される。この連結具３６は、ボルト３９で固定された後述する温水ホース３２の端部３２ａにロープ３５を介して連結される。
【００１７】
このように、チューブ１０２の端部１０２ａは、多重に折り畳まれ固定板３７を介してボルト３８で固定されるため、チューブ１０２をロープ３５で引っ張っても、チューブ１０２は破れたりすることなく、管状樹脂吸収材１０１から取り除くことができる。
【００１８】
図２は、上述した本管ライニング材１を用いて本管をライニングするときの工事を説明する図である。
【００１９】
本管ライニング材１の先端部１ａ（図１（ａ）の右側部分）は、マンホール１１内に設置された圧力容器２０の下端部に形成された開口部に対して気密性をもって結合される。
【００２０】
圧力容器２０には、エアコンプレッサー２１がパイプ２２を介して接続されている。また、圧力容器２０の下方部には、排水パイプ２３が設けられており、この排水パイプ２３には、地上に設置された排水ポンプ２５に接続された排水ホース２４が接続されている。排水ポンプ２５はパイプ２６を介して温水槽２７の下部に接続され、後述するように、硬化中の本管ライニング材１の下部に滞留する温水２８を温水槽２７に還流させる。温水槽２７は不図示のヒーターにより加熱され、温水２８が所定温度の温水に維持される。温水槽２７の上部にはパイプ３０を介して温水ポンプ３１が接続されており、この温水ポンプ３１には温水ホース３２が接続されている。
【００２１】
温水ホース３２は圧力容器２０内を通って本管ライニング材１内に挿入されており、その先端部３２ａは、上述したように、ロープ３５によって本管ライニング材１のチューブ１０２の先端部１０２ａと連結具３６を介して結合されている。温水ホース３２は、本管ライニング材１が挿入されるにつれて本管１０内に挿入される。温水ホース３２には多数の噴出口３２ｂが形成されており、その噴出口３２ｂを介して、温水が温水ミスト３４あるいは温水シャワリングとして本管ライニング材１に向けて噴出される。
【００２２】
このような構成において、本管ライニング材１は、圧力容器２０内に収納されて（あるいは外部から気密に圧力容器２０内に供給される）、その開放端１ａが圧力容器２０の下端部に形成された開口部に気密に取り付けられる。圧力容器２０内にエアコンプレッサー２１から圧縮空気を供給すると、本管ライニング材１は反転しながら本管１０内に反転されながら挿入されていく。
【００２３】
本管ライニング材１が所定長さ挿入されると、温水槽２７の温水２８が温水ポンプ３１により温水ホース３２に供給される。本管ライニング材１は圧縮空気により膨張して本管１０の内周面に押し付けられた状態になっており、この状態で温水ホース３２の噴射口３２ｂから温水が温水ミスト３４あるいは温水シャワリングとして本管ライニング材１の内周面に吹き付けられるので、本管ライニング材１の管状樹脂吸収材１０１に含浸された熱硬化性樹脂が硬化し、本管１０の内周面が本管ライニング材よりライニングされる。
【００２４】
本管ライニング材１に噴射された温水は下方に温水２８として貯留し、この温水が排水パイプ２３などを介して温水槽２７に戻されて再び加熱され、所定温度の温水として温水ホース３２に再び供給される。従って、温水の循環システムが形成されるので、省エネルギーを可能にするライニング工事が可能となる。また、温水はミストとしてあるいはシャワリングとして噴出されるので、管状樹脂吸収材１０１に含浸されている樹脂を均一に硬化させることができる。
【００２５】
なお、この本管ライニング材１を本管１０内に反転挿入する前に、スタートライナー（不図示）を本管内に挿入して本管内に地下水や下水が漏水するのを防止し、このスタートライナー内に本管ライニング材１を反転挿入するようにしてもよい。
【００２６】
本管ライニング材１の管状樹脂吸収材１０１に含浸された熱硬化性樹脂が硬化し、本管１０の内周面にライニングが施されると、図３に示したように、温水ホース３２が引き上げられ、この温水ホース３２の先端に連結されているロープ３５が引っ張られる。これにより、ロープ３５に連結されている本管ライニング材１のチューブ１０２も引っ張られる。チューブ１０２は、管状樹脂吸収材１０１とは固定されていないので、あるいは管状樹脂吸収材１０１と部分的に固定されるだけであるので、温水ホース３２あるいはロープ３５を引っ張るにつれて、チューブ１０２は管状樹脂吸収材１０１から離れ、取り除かれる。チューブ１０２を完全に取り除いたあとは、図４に示したように、本管１０からはみ出ている本管ライニング材１を切断し、ライニング工事を終了する。
【００２７】
ライニング後の本管１０の内周面は、本管ライニング材１の管状樹脂吸収材１０１からなる堅固な樹脂面となっており、従来のように樹脂面を被覆するコーティング層（チューブ１０２）は残存しない。従って、従来のように、更生された本管の内周面からコーティング層が徐々に剥がれて落ちてしまい、その内周面が粗くなることを防止できる。このように、本発明では、更生された本管の内周面をコーティング層のない樹脂面とすることができ該内周面の粗度係数を小さくして本管１０内の下水の流量を大きくすることができる。
【００２８】
なお、上述した本管ライニング材は反転して本管内に挿入されたが、引き込みにより本管内に挿入する本管ライニング材に対しても、同様な構成にすることができる。本管ライニング材を引き込みにより本管内に挿入する場合には、本管ライニング材は、管状樹脂吸収材が外側に、管状樹脂吸収材の内周面を被覆するチューブが内側にくるようにして本管内に挿入される。チューブはロープないし温水ホースにより取り除くことができるように結合されるので、管状樹脂吸収材に含浸されている樹脂が硬化したあと、上述した反転用の本管ライニング材と同様に、ロープあるいは温水ホースを引っ張ることにより、チューブを管状樹脂吸収材から容易に取り除くことができる。
【００２９】
また、本管ライニング材が多層の管状樹脂吸収材で更生される場合には、本管ライニング材が既設管内に挿入された後、一番内側の本管ライニング材の管状樹脂吸収材を被覆するチューブを該管状樹脂吸収材から取り除くことができるようにする。
【実施例２】
【００３０】
上述した実施例は、本管の内周面をライニングするための本管用の本管ライニング材であったが、本発明は、本管と交差する枝管の内周面をライニングする枝管用の管ライニング材（以下、枝管ライニング材という）並びにその枝管をライニングする工事にも適用することができる。
【００３１】
図５（ａ）、（ｂ）は、枝管ライニング材２を示す。枝管ライニング材２は、本管ライニング材１の管状樹脂吸収材１０１と同じ材質からなる可撓性の管状樹脂吸収材２０１からなり、管状樹脂吸収材２０１には、不飽和ポリエステル樹脂、ビニルエステル樹脂、エポキシ樹脂などの液状の未硬化の熱硬化性樹脂が含浸される。管状樹脂吸収材２０１の内周面（反転後は外周面となる）には、ポリエチレン、ポリプロピレン、ナイロン、塩化ビニールなど気密性の高いプラスチックフィルムが熱溶着されておりコーティング層２０４を形成している。管状樹脂吸収材２０１は、その一端が折り返されてその部分の熱硬化性樹脂が硬化され堅固なつば２０３となっている。
【００３２】
管状樹脂吸収材２０１は、それより長く一端がつば２０３に熱溶着などで固定されたチューブ（インナーチューブ）２０２内に反転挿入される。チューブ２０２は、チューブ１０２と同様、ポリエチレン、ポリプロピレン、ナイロン、塩化ビニール等など気密性の高いプラスチックフィルムからなり、チューブ２０２のつば２０３と反対側部分は、図５（ｂ）で示すように、ボルトとナットなどの固定具３によって気密に閉じられており、そこに牽引ロープ４０と温水ホース４１が接続されている。チューブ２０２は、その一端がつば２０３に熱溶着され仮に固定される以外、管状樹脂吸収材２０１に固定されることはない。また、管状樹脂吸収材２０１の外側には所定長さの引き剥しチューブ２０５が通され、引き剥しチューブ２０５の一端はつば２０３の近傍外周に引き剥し可能に接着され、他端は開放していて、後述する圧力バッグの部分に気密に結合される。尚、引き剥しチューブ２０５の材質にはチューブ２０２と同様のものが選定される。
【００３３】
次に、上記枝管ライニング材２を用いて施工される枝管ライニング工法を説明する。
【００３４】
図６において、１２は本管１０から分岐する小径の枝管であって、本管１０内には、作業用ロボット４２、圧力バッグ４３、枝管用の枝管ライニング材２等が引き込まれている。
【００３５】
作業用ロボット４２は、そのヘッド４４が図６で上下方向ａ、ｂに進退し、且つ、矢印ｃで示すように管軸を中心に回転するように構成されており、ヘッド４４にはフランジ状のセットノズル４５が支持されている。また、この作業用ロボット４２の上部にはモニター用のＴＶカメラ４６が設置されている。そして、作業用ロボット４２の前後には牽引ロープ４７，４８が取り付けられており、一方の牽引ロープ４７は圧力バッグ４３に接続され、他方の牽引ロープ４８は地上まで延設されている。
【００３６】
一方、圧力バッグ４３は、２つの可撓性チューブ４９、５０を円筒状のジョイント５１で結合して構成されている。チューブ４９の開口端はキャップ５２によって閉塞されており、他方のチューブ５０の開口端はセットノズル４５の筒状部４５ａに取り付けられている。また、管状樹脂吸収材２０１の外周に取り付けられた引き剥しチューブ２０５の他端（開口端）は前記チューブ５０と共にジョイント５１の外周に気密に取り付けられている。
【００３７】
枝管ライニング材２はそのつば２０３がセットノズル４５上にセットされており、他の未反転部分はセットノズル４５を通って圧力バッグ４３内に収納されている。このとき、枝管ライニング材２のチューブ２０２に接続された牽引ロープ４０はキャップ５２に取り付けられ、温水ホース４１はキャップ５２を貫通して圧力バッグ４３外へ延出し、バルブ５３に導かれている。温水ホース４１には、不図示の熱源により加熱される温水タンク５５から温水ポンプ５４により温水が供給される。また、圧力バッグ４３内の温水は排水ホース５６、バルブ５７を介して温水タンク５５に戻される。
【００３８】
圧力バッグ４３内には、枝管ライニング材２のチューブ２０２と引き剥しチューブ２０５で閉塞される密閉空間が形成され、該密閉空間はキャップ５２に取り付けられたエアーホース５９、バルブ６０を介して地上に設置されたコンプレッサー６１に接続されるとともに、排気ホース６２、バルブ６３を介して外気に通じている。排気ホース６２には圧力ゲージ６４が取り付けられている。
【００３９】
以上において、図６に示したように、作業用ロボット４２のヘッド４４を矢印ａ方向に上動させて枝管ライニング材２のつば２０３を本管１０の枝管開口部の周縁壁に押圧して密着させる。コンプレッサー６１を駆動してエアーホース５９を経て圧縮エアーを圧力バッグ４３内の密閉空間に供給すると、図７に示すように、枝管ライニング材２は圧縮エアーの圧力を受けて反転しながら枝管１２内を上方に向かって順次挿入されていく。
【００４０】
枝管ライニング材２の枝管１２内への反転挿入が終了すると、枝管ライニング材２を枝管１２の内周面に押し付けた状態にして、温水を温水ホース４１の先端から供給して密閉空間内に充満させる。密閉空間内の圧縮エアーは排気ホース６２を経て大気中に放出され、一方、枝管ライニング材２の管状樹脂吸収材２０１に含浸された熱硬化性樹脂が温水で加温され硬化する。
【００４１】
管状樹脂吸収材２０１に含浸されている樹脂が硬化すると、排水ホース５６を介して密閉空間から温水を抜き、温水タンク５５に戻す。図８に示すように、作業用ロボット４２のヘッド４４を図示矢印ｂ方向に下動させてセットノズル４５を枝管ライニング材２のつば２０３から引き離した後、牽引ロープ４０を、矢印方向（図８の左方）に引く。すると、引き剥しチューブ２０５及び管状樹脂吸収材２０１を内部から被覆していたチューブ２０２が同方向に引かれ、チューブ２０２は管状樹脂吸収材２０１から取り除かれる。作業用ロボット４２、圧力バッグ４３などが本管１０内から取り除かれ、枝管１２は、図９に示したように、その内周面が管状樹脂吸収材２０１によりライニングされる。
【００４２】
ライニングされた枝管１２の内周面は、枝管ライニング材２の管状樹脂吸収材２０１からなるコーティング層のない堅固な樹脂面となっており、上述した実施例１の本管の内周面と同様に、更生された枝管の内周面の粗度係数を小さくして枝管内の下水の流量を大きくすることができる。
【００４３】
図６〜図９に示した枝管のライニングは、枝管の途中までのライニングであったが、地上まで枝管ライニング材を伸ばして枝管全体に渡ってライニングする例が、図１０、図１１に示されている。図６〜図９と同一部分には、同じ符号を付し、その詳細な説明は省略する。
【００４４】
この実施例では、枝管ライニング材２のチューブ２０２の先端には、牽引ロープや温水ホースは接続されておらず、気密に閉じた状態となっている。コンプレッサー６１から圧縮エアーを圧力バッグ４３に供給すると、枝管ライニング材２は、図１０に示したように、枝管１２内に反転挿入され、地上に突出する。そこで、地上に飛び出した枝管ライニング材にアタッチメント７０を気密に接続する。
【００４５】
そして、バルブ６０を閉めてバルブ７３，７６を開け、蒸気ポンプ７５を駆動して蒸気タンク７４から蒸気を蒸気ホース７１を経て密閉空間内に供給すれば、圧縮エアーはエアー抜きホース７２を経て大気中に放出される。一方、枝管ライニング材２は枝管１２の内周壁に押圧された状態で加温され、管状樹脂吸収材２０１に含浸された熱硬化性樹脂が硬化する。
【００４６】
熱硬化性樹脂が硬化した後、アタッチメント７０を取り外し、図１１に示したように、枝管ライニング材２のチューブ２０２に牽引ロープ４０を結びつける。チューブ２０２は、管状樹脂吸収材２０１と固定されていないので、牽引ロープ４０を引っ張ると、チューブ２０２は管状樹脂吸収材２０１から離れ、簡単に取り除くことができ、更生された枝管１２の内周面を、硬化した樹脂面とすることができる。
【００４７】
なお、管状樹脂吸収材２の硬化は、蒸気だけでなく、温水、温水シャワリングで行うようにすることもできる。
【００４８】
また、枝管ライニング材２のチューブ２０２を管状樹脂吸収材２０１に全く固定しない場合には、チューブ２０２が管状樹脂吸収材２０１に対して位置ずれを起こす恐れがあるので、部分的にチューブ２０２と管状樹脂吸収材２０１を仮に熱溶着してあるいは接着して固定するようにしてもよい。その場合でも、チューブ２０２を硬化した管状樹脂吸収材２０１から容易に剥離できるように、熱溶着する範囲並びに熱溶着する箇所の数を定めるようにすることは、本管ライニング材１に関連して述べたのと同様である。
【００４９】
また、図１に示した本管ライニング材１の管状樹脂吸収材１０１及び途中ライニング（図６〜図９）あるいは全体をライニングする（図１０、図１１）枝管ライニング材２の管状樹脂吸収材２０１に含浸される液状の硬化性樹脂は、蒸気あるいは温水などの熱媒による加熱により硬化する樹脂だけでなく、紫外線などの光を照射することにより硬化する樹脂、あるいは常温で硬化する樹脂、あるいは常温で硬化する樹脂とすることもできる。
【図面の簡単な説明】
【００５０】
【図１】（ａ）は本管ライニング材の構成を示す斜視図、（ｂ）は本管ライニング材の端部の拡大断面図である。
【図２】本管ライニング材を用いて本管をライニングする工事を示した断面図である。
【図３】ライニング後、本管ライニング材のチューブを取り除く工程を示した断面図である。
【図４】本管ライニング材により更生された本管を示す断面図である。
【図５】（ａ）は枝管ライニング材の構成を示す断面図、（ｂ）はその枝管ライニング材の端部の拡大断面図である。
【図６】枝管ライニング材を用いて枝管をライニングする工事を示した断面図である。
【図７】枝管ライニング材を枝管に反転挿入する工程を示した断面図である。
【図８】枝管ライニング材のチューブを取り除く工程を示した断面図である。
【図９】枝管ライニング材により更生された枝管を示す断面図である。
【図１０】枝管ライニング材を地上まで延ばして枝管をライニングする工事を説明した断面図である。
【図１１】枝管ライニング材のチューブを取り除く工程を示した断面図である。
【符号の説明】
【００５１】
１  本管ライニング材
２  枝管ライニング材
１０  本管
１１  マンホール
１２  枝管
２０  圧力容器
２７  温水層
３２  温水ホース
４０  牽引ロープ
４１  温水ホース
４２  作業ロボット
４３  圧力バッグ
５５  温水層
６１  コンプレッサー
７０  アタッチメント
７４  蒸気槽
１０１  管状樹脂吸収材
１０２  チューブ
２０１  管状樹脂吸収材
２０２  チューブ
２０３  つば
２０４  コーティング層
２０５  引き剥がしチューブ
【図１】
2010149285.tif 000003
【図２】
2010149285.tif 000004
【図３】
2010149285.tif 000005
【図４】
2010149285.tif 000006
【図５】
2010149285.tif 000007
【図６】
2010149285.tif 000008
【図７】
2010149285.tif 000009
【図８】
2010149285.tif 000010
【図９】
2010149285.tif 000011
【図１０】
2010149285.tif 000012
【図１１】
2010149285.tif 000013